(57)【要約】【課題】  デジタルカメラの撮像素子を遮光するための遮光部材としての羽根の制御機構を、複雑化せずに信頼性のあるものにする。【解決手段】  第１の遮光部材の遮光位置と退避位置との間の移動を制御する第１の制御装置を持ち、前記第１の制御装置は撮像素子の蓄積終了後に遮光位置にある第２の遮光部材を退避位置に移動させるとともに、前記第２の遮光部材を退避位置にて保持し、蓄積終了後には、該保持を解除する第２の制御装置を持つようにした。【選択図】  図１
2007228056.tif 000002
【特許請求の範囲】
【請求項１】
被写体像を光電変換する撮像素子と、該撮像素子の前に位置し前記撮影光学系からの被写体光束を遮光し、撮像素子への蓄積開始前に退避する第１の遮光部材と、前記撮像素子の前に位置し、前記撮影光学系からの被写体光束を遮光しない退避位置に存在し、撮像素子への蓄積終了後には、被写体光束を遮光する位置に移動する第２の遮光部材と、前記第１の遮光部材を遮光位置から退避位置へ付勢する第１の付勢手段と、前記第２の遮光部材を退避位置から遮光位置へ付勢する第２の付勢手段とを持つデジタルカメラにおいて、前記第１の遮光部材の遮光位置と退避位置との間の移動を制御する第１の制御装置を持ち、前記第１の制御装置は、蓄積終了後に遮光位置にある第２の遮光部材を退避位置に移動させるとともに、前記第２の遮光部材を退避位置にて保持し、蓄積終了後には、該保持を解除する第２の制御装置を持つことを特徴とするデジタルカメラ。
【請求項２】
前記第１の制御装置は、カメラのレリーズ操作に応答して前記第１の遮光部材を遮光位置から退避位置に移動させることを特徴とする請求項１に記載のデジタルカメラ。
【請求項３】
前記第２の制御装置は、カメラのレリーズ操作に応答して前記第２の遮光部材を退避位置にて保持するとともに蓄積終了後には、該保持を解除することを特徴とする請求項１に記載のデジタルカメラ。
【請求項４】
前記撮像素子の撮影の為の電荷蓄積を開始する直前に、前記撮像素子に蓄積された不要な電荷をクリアすることを特徴とする請求項１〜請求項３のいずれかに記載のデジタルカメラ。
【発明の詳細な説明】
【技術分野】
【０００１】
本発明は撮像素子への遮光装置を有したデジタルカメラに関し、特に撮像素子への電荷蓄積後に撮像素子への光を遮断するようにしたデジタルカメラに関するものである。
【背景技術】
【０００２】
デジタルカメラは、個体撮像素子としてＣＣＤ（Charge Coupled Device：電荷蓄積素子）を有し、ＣＣＤで蓄積された画像情報としての電荷を読出して記録媒体に記録するものである。ＣＣＤのうち特にフレームトランスファー型ＣＣＤやインターラインの２フィールド読出し型のＣＣＤを用いた場合、電荷の読出しは光を遮断した状態で行う必要がある。また、その他のＣＣＤでもスミア（ＣＣＤ画素からあふれた電荷が転送部に流れ込み、画面の上下方向に光が筋を引くように現れる現象）を積極的に防止して高画質化を追求するには、同様にＣＣＤへの光を遮断して読出しを行う必要がある。例えば、従来からある銀塩フィルムを使用する一眼レフカメラにＣＣＤを組込んでデジタルカメラを構成する場合には、その一眼レフカメラのフォーカルプレーンシャッターでＣＣＤの遮光を行なうのが通例であった。しかしながら、ＣＣＤの遮光のみであればシャッター羽根は１組で十分であり、またその駆動にあたってさほどの精度は要求されないことから、１つのシャッタ羽根群を有するフォーカルプレーンシャッターを撮像素子の遮光部材として用いることにより、羽根群のスペースは少なくしているものがある。（例えば、特許文献１参照。）
【特許文献１】特開平１１−１２２５４２号公報
【発明の開示】
【発明が解決しようとする課題】
【０００３】
しかし、上記特開平１１−１２２５４２号広報に記載されたものは、１つの羽根群で遮光を行うようにしているために羽根群のスペースは少なくなっているものの、羽根の動きを制御するために係止レバーを使用し、該係止レバーの解除のためにカムの制御も行なっていて羽根の制御機構が複雑になっている。また、係止レバーを使うことで不用意に係止レバーが解除してしまうなど、信頼性の面からも問題なしとは言えない。
【０００４】
また、機構を簡単にするために、例えば従来のシャッターの後羽根１組のみを使用して、撮影前の状態ではＣＣＤの遮光を行わないで、ＣＣＤの蓄積終了後に後羽根を走行させてＣＣＤを遮光し、ＣＣＤの読み出し中は遮光を行って、読み出し終了後にシャッターのチャージを行って後羽根を退避させて、走行前の状態では次の撮影までＣＣＤの遮光を行わないようにすることが考えられるが、その場合は、ＣＣＤを保護するカバーガラスや、ローパスフィルター等にゴミが付着する可能性が高くなってしまう問題がある。
【０００５】
本発明に係る第１の発明の目的は、撮像素子の遮光装置をより簡単な構成として撮影開始前の状態で係止レバーが振動等で不用意に外れて遮光部材が走行する心配のないデジタルカメラを提供することである。
【０００６】
本発明に係る第２の発明の目的は、撮像素子の遮光部材を撮影の直前に退避させ、撮像素子へのゴミの付着を防ぐことである。
【０００７】
本発明に係る第３の発明の目的は、撮影のための蓄積終了後に直ちに撮像素子を遮光することでスミヤの発生を最小限に押さえることである。
【０００８】
本発明に係る第４の発明の目的は、撮影前に撮像素子に蓄積された不要な電荷をクリアして撮影時の電荷のみを蓄積することである。
【課題を解決するための手段】
【０００９】
前記目的を達成するために、請求項１に記載の発明は、被写体像を光電変換する撮像素子と、該撮像素子の前に位置し前記撮影光学系からの被写体光束を遮光し、撮像素子への蓄積開始前に退避する第１の遮光部材と、前記撮像素子の前に位置し、前記撮影光学系からの被写体光束を遮光しない退避位置に存在し、撮像素子への蓄積終了後には、被写体光束を遮光する位置に移動する第２の遮光部材と、前記第１の遮光部材を遮光位置から退避位置へ付勢する第１の付勢手段と、前記第２の遮光部材を退避位置から遮光位置へ付勢する第２の付勢手段とを持つデジタルカメラにおいて、前記第１の遮光部材の遮光位置と退避位置との間の移動を制御する第１の制御装置を持ち、前記第１の制御装置は蓄積終了後に遮光位置にある第２の遮光部材を退避位置に移動させるとともに、前記第２の遮光部材を退避位置にて保持し、蓄積終了後には、該保持を解除する第２の制御装置を持つデジタルカメラとするものである。
【００１０】
上記構成により、撮像素子の遮光装置をより簡単な構成として撮影開始前の状態で係止レバーが振動等で不用意に外れて遮光部材が走行する心配のないデジタルカメラを提供できる。
【００１１】
また、前記目的を達成するために、請求項２に記載の発明は、前記第１の制御装置は、カメラのレリーズ操作に応答して前記第１の遮光部材を遮光位置から退避位置に移動させるデジタルカメラとするものである。
【００１２】
上記構成により、撮像素子の遮光部材を撮影の直前に退避させるため、撮像素子へのゴミの付着を防ぐことができる。
【００１３】
また、前記目的を達成するために、請求項３に記載の発明は、前記第２の制御装置は、カメラのレリーズ操作に応答して前記第２の遮光部材を退避位置にて保持するとともに蓄積終了後には、該保持を解除するデジタルカメラとするものである。
【００１４】
上記構成により、撮影のための蓄積終了後に直ちに撮像素子を遮光することでスミヤの発生を最小限に押さえることである。
【００１５】
また、前記目的を達成するために、請求項４に記載の発明は、前記撮像素子の撮影の為の電荷蓄積を開始する直前に、前記撮像素子に蓄積された不要な電荷をクリアするデジタルカメラとするものである。
【００１６】
上記構成により、撮影前に撮像素子に蓄積された不要な電荷をクリアして撮影時の電荷のみを蓄積することができる。
【発明の効果】
【００１７】
以上説明したように、請求項１に示した発明によれば、前記第１の遮光部材の遮光位置と退避位置との間の移動を制御する第１の制御装置を持ち、前記第１の制御装置は、蓄積終了後に遮光位置にある第２の遮光部材を退避位置に移動させるとともに、前記第２の遮光部材を退避位置にて保持し、蓄積終了後には、該保持を解除する第２の制御装置を持つようにしたことで、撮像素子の遮光装置をより簡単な構成として撮影開始前の状態で係止レバーが振動等で不用意に外れて遮光部材が走行する心配のないデジタルカメラを提供することが出来る。
【００１８】
また、請求項２に示した発明によれば、前記第１の制御装置は、カメラのレリーズ操作に応答して前記第１の遮光部材を遮光位置から退避位置に移動させるようにしたことで、撮像素子の遮光部材を撮影の直前に退避させるので、撮像素子へのゴミの付着を防ぐことが出来る。
【００１９】
また、請求項３に示した発明によれば、前記第２の制御装置は、カメラのレリーズ操作に応答して前記第２の遮光部材を退避位置にて保持するとともに蓄積終了後には、該保持を解除するようにしたことで、撮影のための蓄積終了後に直ちに撮像素子を遮光することでスミヤの発生を最小限に抑えることが出来る。
【００２０】
また、請求項４に示した発明によれば、前記撮像素子の撮影の為の電荷蓄積を開始する直前に、前記撮像素子に蓄積された不要な電荷をクリアするようにしたことで、撮影前に撮像素子に蓄積された不要な電荷をクリアして撮影時の電荷のみを蓄積することが出来る。
【発明を実施するための最良の形態】
【００２１】
以下、本発明の実施例を図面に基づいて説明する。
【００２２】
図１は遮光装置１６をカメラに組み込まれた状態において被写体側から視た場合の略左半分だけを示した平面図で、本発明を説明する上で分かりやすくするためにいくつかの部材については省略してある。（ａ）は撮影開始前の状態を示したものであり、（ｂ）はカメラのレリーズ操作に応答して、第１の遮光部材が遮光位置から退避位置へ移動している状態を示したものであり、（ｃ）は撮像素子への蓄積終了に合わせて第２の遮光部材の保持を解除して第２の遮光部材が退避位置から遮光位置へ移動している状態を示したものであり、（ｄ）は第２の遮光部材が遮光位置へ移動した後にチャージレバー（第１の制御装置）によって第１の遮光部材及び第２の遮光部材を撮影開始前の状態にチャージする途中の状態を示したものである。
【００２３】
また、構成の説明においては、被写体側を表面側と称し、撮像素子の結像面側を背面側と称することにする。
【００２４】
図において、地板１には露光用の開口部１ｄが形成されており周知のように地板１の背面側には開口部１ｄを開放する第１の遮光部材である第１羽根部材１１と開口部１ｄを閉成する第２の遮光部材である第２羽根部材１２が配置されていて図１では開口部１ｄの左側の一部だけが示されている。また地板１の表面側には、軸１ａ，１ｂ，１ｃが立設されている。また、開口部１ｄの左側には、円弧状の二つの長孔１ｅ，１ｆが形成されており、それらの下方端部には、平面形状がＣ字状をしている周知の緩衝部材９、１０が取り付けられている。
【００２５】
前記軸１ｂには第１羽根駆動レバー３が回転可能に取り付けられていて、前記第１羽根駆動レバー３には第１羽根駆動ピン３ｂが一体的に形成されていて地板１の長孔１ｅを貫通して不図示の前記第１の羽根部材１５のアームと連結していて不図示の第１羽根用駆動ばねによって時計方向へ回転するように付勢されていている。
【００２６】
前記軸１ｃには第２羽根駆動レバー４が回転可能に取り付けられていて、前記第２羽根駆動レバー４には第２羽根駆動ピン４ｂが一体的に形成されていて地板１の長孔１ｆを貫通して不図示の前記第２羽根部材１２のアームと連結していて不図示の第２羽根用駆動ばねによって時計方向へ回転するように付勢されていている。
【００２７】
前記軸１ａには前記第１羽根駆動レバー３及び前記第２羽根駆動レバー４を前記不図示の第１羽根用駆動ばねと第２羽根用駆動ばねの付勢力に抗してチャージを行う第１の制御装置にあたるチャージレバー２が回転可能に取り付けられている。
【００２８】
チャージレバー２は、後述されるカメラ本体側のミラー駆動レバー２４によってピン部２ａが時計方向へ回転させられることで押動部２ｂ、２ｃが各々被押動部３ａ、４ａを押して第１羽根駆動レバー３と第２羽根駆動レバー４のチャージを行なっている。
【００２９】
前記第２羽根駆動レバー４には鉄片部材６が遥動可能に取り付けられている。第２羽根駆動レバー４の取付部４ｃは表面側に大きく隆起しており、図においては、それを破断し、内部を理解し易いようにして示している。この取付部３ｃには、鉄片部材６が圧縮ばね７を介在させて軸部材５とによって取り付けられている。即ち、鉄片部材６は、軸部材５と一体になっていて、前記軸部材５には頭部５ａが設けられていて、圧縮ばね７によって、鉄片６を外部へ突き出すように付勢されているが、頭部５ａが取付部３ｃに当接することによって、それ以上は突き出さない状態となっている。
【００３０】
更に、周知であるため、詳細な構成の図示を省略しているが、シャッタ地板１の表面側には、所定の間隔を空けて、シャッタ地板１と平行に支持板が取り付けられていて、その支持板には、第２の制御装置にあたる第２羽根用電磁石８が取り付けられているが、図においては、その鉄芯の概略的な平面形状だけを示し、符号を付けてある。そして、この第２羽根用電磁石８は、コイルに通電されたとき、上記した鉄片部材６を吸着するようになっている。
【００３１】
図１（ａ）では、第１羽根部材１１と第２羽根部材１２がチャージを完了した状態になっていて、不図示の第１羽根用駆動ばね及び第２羽根駆動用ばねがチャージされていて、第１羽根駆動レバー３と第２羽根駆動レバー４はチャージレバー２によってチャージ完了位置で保持されている。
【００３２】
このとき第２羽根駆動レバー４に遥動可能可能に保持された鉄片部材６と電磁石が密着した状態になっている。
【００３３】
図１の（ｂ）では、チャージ完了後にカメラのレリーズ動作に応動して、第２羽根用電磁石８に通電されて鉄片６と電磁石８が吸着した後に、チャージレバー２が初期位置に戻り、第１羽根部材１１は、不図示の第１羽根用駆動ばね力によって退避位置へ移動を始める。このとき第２羽根部材１２は、第２羽根駆動用ばね力によって第２羽根駆動レバー４が露光作動開始位置まで回動した後に一旦停止していて、第２羽根部材１２は、開口部１１ｄの外側に位置している。
【００３４】
図１の（ｃ）では、前記第１羽根部材１１が完全に開口部１ｄの外側へ退避した後に、撮像素子への蓄積が開始される事になる。撮像素子への蓄積が終了すると第２羽根用電磁石８への通電がカットされると第２羽根部材１２が不図示の第２羽根用駆動ばね力によって第２羽根駆動レバー４と共に移動を始める。
【００３５】
図１の（ｄ）では、前記第２羽根部材１２が完全に開口部１ｄを覆った後に、チャージレバー２が、後述されるカメラ本体側のミラー駆動レバー２４によってピン部２ａが時計方向へ回転させられることで押動部２ｂ、２ｃが各々被押動部３ａ、４ａを押して第１羽根駆動レバー３と第２羽根駆動レバー４がチャージされて第１羽根部材１１と第２羽根部材１２もチャージされる。
【００３６】
図２は遮光装置１６の第１羽根部材１１及び第２羽根部材１２が完全に走行完了してから走行開始側にチャージし更に、レリーズ時にチャージレバー２をチャージ前の初期位置に復帰させるカメラのチャージ機構について説明したものである。
【００３７】
地板１は不図示のカメラ本体のミラーボックスに固定されており、２５はミラーボックス内において、撮影光路に対し進退するよう軸部２５ｂを中心に上下揺動する主ミラーである。２４はミラーボックスの側面に、軸嵌合部２４ａを中心に回動可能に支持されたミラー駆動レバーである。このミラー駆動レバー２４は、凸部２４ｆにて主ミラー２５の軸部２５ａと摺接し、凸部２４ｄ，２４ｅにて遮光装置１６のチャージレバー２のピン部２ａと係合している。主ミラー２５は下がる方向に不図示の主ミラーばねによって付勢されていて、ミラー駆動レバー２４は、ミラーを跳ね上げる方向に不図示のミラー跳ね上げばねによって付勢されている。ミラー跳ね上げばねは、主ミラーばねの付勢力に抗して主ミラー２５を跳ね上げる強い付勢力が設定されている。
【００３８】
カメラ本体側のモータ２０から伝達ギヤ２１，２２と、ミラー駆動レバー２４の係合部２４ｂ，２４ｃにピン部２３ｂが係合している伝達レバー２３とを介して伝達される駆動力によってミラー駆動レバー２４を回動させると、主ミラー２５および遮光装置１６のチャージ駆動を行うことができ、主ミラー２５のチャージ駆動と遮光装置１６のチャージとを１つの部品であるミラー駆動レバー２４で行うことができる。
【００３９】
ミラー駆動レバー２４で遮光装置１６をチャージすると主ミラー２５は、主ミラーばねの付勢力によって下がって撮影前の状態となる。またレリーズするとモータＭが駆動し伝達ギヤ２２のカムトップから伝達レバー２３のコロ２３ａが落ちると、ミラー駆動レバー２４がミラー駆動ばねの付勢力によって主ミラー２５を上方向に跳ね上げると同時に、遮光装置１６のチャージレバー２を初期位置に戻すように作動することになる。
【００４０】
レリーズ前の状態では、伝達ギヤ２２のカムトップで伝達レバー２３が保持されて遮光装置１６のチャージレバー２もチャージ状態で保持されることになり振動等で、不用意に遮光部材が走行してしまうことはない。
【００４１】
図３は本発明の実施例を示す電気ブロック図である。図３において、３０は被写体からの反射光を電気信号に変換する撮像素子である。
【００４２】
３１は前置処理回路であり、撮像素子３０の出力ノイズ除去のためのＣＤＳ回路やＡ／Ｄ変換前に行う非線形増幅回路を備えている。３２はアナログ出力をデジタル信号化するＡ／Ｄ変換器、４６はレンズ駆動４７、シャッター用電磁石８、モーター２０などを駆動するメカ系駆動回路である。
【００４３】
３３はバッファメモリ、３４はメモリの読み書き動作や、リフレッシュ動作等を制御するためのメモリコントローラ、３９は撮影シーケンスなどシステムを制御するためのマイクロコントローラ、４５は画像表示部４４内に表示され、操作補助のための表示や、カメラの状態を表す表示を行なう操作表示部、４３はカメラを外部から操作するための操作部、３５は後述する拡張ユニット３６とのインターフェースである。
【００４４】
３６は着脱自在な拡張ユニットであり、カメラ本体に接続して各種処理や操作を行うためのものである。３７は後述するメモリカード３８との接続のためのインターフェース、３７はカメラからのデータを記録する記録媒体で、ＥＥＰＲＯＭ、フラッシュメモリ等の不揮発性固体メモリ素子等を有する着脱可能なメモリカード、５３はカメラの制御を行うための電気的に書き換え可能な不揮発性メモリ、４０はシステムに電源を投入するためのメインスイッチである。
【００４５】
４１はレリーズボタンを押圧することで自動焦点機能や自動露出機能等の撮影スタンバイ動作を行うためのスイッチ（ＳＷ１）、４２は撮影スタンバイスイッチ４１のＯＮ後にレリーズボタンが更に押圧されることによって撮影を行う撮影スイッチ（ＳＷ２）、４４は撮影した画像データを表示する液晶パネルなどの表示部である。
【００４６】
４８は被写体測光のための測光装置、４９は被写体測距のための測距装置、５０は電子ブザーであり、各種の警告や作動状態を音に変換するものである。
【００４７】
５２は電池等のカメラの電源５１の電圧を一定の出力電圧に変換するＤＣ／ＤＣコンバータであり、システム制御用ＣＰＵ３９をはじめとする各回路に電源を供給する。
【００４８】
以下、上述のように構成されたデジタルカメラの動作制御を図１〜図３を参照しながら詳細に説明する。
【００４９】
図４は本発明の動作を説明したフローチャートである。
【００５０】
Ｓ１０１では、レリーズ釦の第二ストロークで撮影スイッチ（ＳＷ２）４２をＯＮする。
【００５１】
Ｓ１０２では遮光装置１６の第２羽根用電磁石８への通電が開始されると同時にＳ１０３ではモーター２０への通電も行われる。
【００５２】
Ｓ１０４ではモーター２０への通電によってモーター２０が回転し伝達ギヤ２１、２２が回転する。伝達ギヤ２２のカムトップから伝達レバー２３のコロ２３ａが落ちると、ミラー駆動レバー２４がミラー駆動ばねの付勢力によって主ミラー２５を上方向に跳ね上げる。
【００５３】
同時に、Ｓ１０５ではミラー駆動レバー２４が主ミラー２５をアップ位置まで跳ね上げると同時に遮光装置１６のチャージレバー２を初期位置に戻すことになる。
【００５４】
このとき、遮光装置１６の第２羽根用電磁石８の鉄芯と鉄片部材６は吸着していて、第２羽根駆動レバー４と第２羽根部材１２は、チャージ完了位置から露光作動開始位置まで作動して一旦停止する。
【００５５】
第１羽根駆動レバー３と第１羽根部材１１は、チャージレバー２の動きに合わせて不図示の第１羽根用駆動ばねの付勢力で作動を始める。
【００５６】
Ｓ１０６では主ミラー２５のアップ動作が完了する。
【００５７】
同時にＳ１０７では第１羽根部材１１が開口部１ｄから完全に退避することになる。
【００５８】
第１羽根部材１１が退避した後、Ｓ１０８では撮像素子３０への蓄積を開始前に、撮像素子３０に蓄積されている不要な電荷をクリアする。
【００５９】
Ｓ１０９では、不要な電荷をクリアした後に、撮像素子への蓄積を開始する。
【００６０】
Ｓ１１０では被写体の輝度等によって予め決められた時間、撮像素子への蓄積が行なわれる。ここでの蓄積時間がいわゆる電子シャッターのシャッター速度になる。
【００６１】
Ｓ１１１では、蓄積が終了する時間に合わせて撮像素子３０を直ちに遮光するように、第２羽根用電磁石８への通電をカットする。ここでは、通電をカットしてから実際に撮像素子３０を遮光し始めるまでの時間を考慮して、蓄積が終了する少し手前で通電をカットすることになる。
【００６２】
Ｓ１１２では第２羽根用電磁石８への通電がカットされたことで第２羽根用電磁石８の鉄芯と鉄片部材６が離れて、不図示の第２羽根駆動ばねの付勢力によって第２羽根部材１２が走行を行い、第２羽根部材１２が完全に開口部１ｄを覆って撮像素子への遮光が行われる。
【００６３】
Ｓ１１３では第２羽根部材１２が走行を完了したことを受けて、撮像素子３０からの電荷の読み出しが行われる。遮光された状態で読み出しが行われるので、スミヤを抑える事ができる。
【００６４】
Ｓ１１４では第２羽根部材１２が走行を完了したことを受けて電荷の読み出し開始とほぼ同時にモーター２０への通電が行われてチャージを開始する。
【００６５】
Ｓ１１５とＳ１１６ではモーター２０が回転し伝達ギヤ２１、２２が回転すると、伝達レバー２３、及びミラー駆動レバー２４を回動させることで遮光装置１６と主ミラー２５のチャージが行なわれる。主ミラー２５はチャージされることでミラーダウンする。
【００６６】
Ｓ１１７ではチャージが完了して撮影前状態に戻ることになる。この状態では、チャージレバー２はチャージ完了状態になっていて第１羽根部材及び、第２羽根部材が不用意に走行することはない。
【図面の簡単な説明】
【００６７】
【図１】本発明の実施例の被写体側から視た場合の左側の略半分を示した平面図。
【図２】本発明の実施例のチャージ機構を示した斜視図。
【図３】本発明の実施例を示すカメラ内部の電気回路のブロック図。
【図４】本発明の実施例の作動を説明したフローチャート。
【符号の説明】
【００６８】
１  地板
１ａ、１ｂ、１ｃ  軸
１ｄ  開口部
１ｅ、１ｆ  円弧状の孔
２  チャージレバー
２ａ  ピン部
２ｂ、２ｃ  押動部
３  第１羽根駆動レバー
３ａ  被押動部
３ｂ  第１羽根駆動ピン
４  第２羽根駆動レバー
４ａ  被押動部
４ｂ  第２羽根駆動ピン
５  軸部材
６  鉄片部材
７  圧縮ばね
８  第２羽根用電磁石
９、１０  緩衝部材
１１  第１羽根部材
１２  第２羽根部材
１６  遮光装置
２０  モーター
２３  伝達レバー
２４  ミラー駆動レバー
２５  主ミラー
３０  撮像素子
３４  メインコントローラ
４０  システム制御用ＣＰＵ
３９  メインスイッチ
３６  ＳＷ１
３７  ＳＷ２
４６  メカ駆動回路
【図１】
2007228056.tif 000003
【図２】
2007228056.tif 000004
【図３】
2007228056.tif 000005
【図４】
2007228056.tif 000006